(57)【要約】【課題】オーディオファイルのナビゲーションおよび再生装置を提供する。【解決手段】ユーザからナビゲーションモードでの転換命令を受信する入力モジュールと、ハイライト区間を含む多数のオーディオファイルを保存する保存モジュールと、前記入力された命令により前記多数のオーディオファイルを抽出し、ボリュームレベルを調節しつつ、それぞれのオーディオファイルのハイライト区間を再生する制御モジュールおよび前記再生するハイライト区間をユーザに出力する出力モジュールとを含む。【選択図】図２
2007213040.tif 000002
【特許請求の範囲】
【請求項１】
ハイライト区間を含む多数のオーディオファイルを保存する保存モジュールと、
前記保存モジュールから前記オーディオファイルのうち第１オーディオファイルを抽出し、ボリュームレベルを調節しつつ、前記第１オーディオファイルのハイライト区間を再生する制御モジュールと、
前記制御モジュールにより再生する前記第１オーディオファイルのハイライト区間をユーザに出力する出力モジュールを含むオーディオファイル再生装置。
【請求項２】
前記制御モジュールは前記第１オーディオファイルのハイライト区間を再生し、前記ハイライト区間以後の前記第１オーディオファイルの所定区間を、ボリュームレベルを徐々に減少させながら再生し、前記オーディオファイルのうち第２オーディオファイルのハイライト区間以前の所定区間を、ボリュームレベルを増加させつつ再生し、前記第２オーディオファイルのハイライト区間を再生する請求項１に記載のオーディオファイル再生装置。
【請求項３】
前記制御モジュールは、
前記第１オーディオファイルの前記所定区間に対するボリュームレベルが減少し、該当音楽が聞こえなくなった後、前記第２オーディオファイルに対するボリュームレベルが増加しつつ、前記第２オーディオファイルの前記所定区間を再生する請求項２に記載のオーディオファイル再生装置。
【請求項４】
前記制御モジュールは、
前記第１オーディオファイルの所定区間を再生しつつ、前記第２オーディオファイルの所定区間を再生する請求項２に記載のオーディオファイル再生装置。
【請求項５】
前記制御モジュールは
前記オーディオファイルの各々に対するボリュームレベルを調節するために前記オーディオファイルのハイライト区間の各々にマージン区間を割り当てる請求項１に記載のオーディオファイル再生装置。
【請求項６】
ナビゲーションモードに転換させるナビゲーション転換手段を含む入力モジュールをさらに含む請求項１に記載のオーディオファイル再生装置。
【請求項７】
前記ナビゲーションモードおよびユーザにより選択されたオーディオファイルを再生する再生モードで共通に使用する機能ボタンを含む入力モジュールをさらに含む請求項１に記載のオーディオファイル再生装置。
【請求項８】
前記機能ボタンが所定時間押された状態の場合、前記制御モジュールは予め指定されたハイライト区間の特定の部分を再生し、ハイライトナビゲーションの速度を増加させる請求項７に記載のオーディオファイル再生装置。
【請求項９】
前記機能ボタンがクリックされた場合、前記制御モジュールは以前または次のオーディオファイルに対するハイライト区間を再生する請求項７に記載のオーディオファイル再生装置。
【請求項１０】
前記出力モジュールは、再生するオーディオファイルに対する付加情報を提供する請求項１に記載のオーディオファイル再生装置。
【請求項１１】
前記制御モジュールはユーザのナビゲーション動作を分析し、該当オーディオファイルに対するユーザの嗜好度として把握する請求項１に記載のオーディオファイル再生装置。
【請求項１２】
前記制御モジュールは、
前記命令によりオーディオファイルのハイライト区間をバッファに保存し、前記保存されたハイライト区間に対するナビゲーションを行なうトランジション制御モジュールと、
前記保存されたハイライト区間に対するオーディオデータをデコーディングするデコーディングモジュールと、
前記デコーディングされたオーディオデータのボリュームレベルを調節して出力するボリュームレベル調節モジュールを含む請求項１に記載のオーディオファイル再生装置。
【請求項１３】
前記制御モジュールは、ボリュームレベルを増加させつつハイライト区間より前の前記第１オーディオファイルの第１区間を再生し、前記第１オーディオファイルのハイライト区間を再生して、前記ハイライト区間以後の第２区間に対するボリュームレベルを減少させつつ、前記第２区間を再生する請求項１に記載のオーディオファイル再生装置。
【請求項１４】
ユーザからナビゲーションモードに転換させる命令を受信する入力モジュールをさらに含み、
前記制御モジュールは前記保存モジュールから前記第１オーディオファイルを抽出し、前記受信した命令に応答し、前記第１オーディオファイルのハイライト区間を再生する請求項１に記載のオーディオファイル再生装置。
【請求項１５】
第１オーディオファイルのハイライト区間を再生し、前記第１オーディオファイルのボリュームレベルを減少させつつ、前記ハイライト区間以後の所定区間を再生する（ａ）段階と
第２オーディオファイルのハイライト区間より前の所定領域を、ボリュームレベルを増加させつつ再生した後に、前記オーディオファイルのハイライト区間を再生する（ｂ）段階とを含むオーディオファイル再生方法。
【請求項１６】
前記（ｂ）段階は、前記第２オーディオファイルのハイライト区間が再生された後には前記第１オーディオファイルの前記所定区間がそれ以上聞こえなくなる段階を含む請求項１５に記載のオーディオファイル再生方法。
【請求項１７】
前記（ａ）段階は、前記第２オーディオファイルの前記所定区間を再生すると同時に行われる段階を含む請求項１５に記載のオーディオファイル再生方法。
【請求項１８】
オーディオファイルの再生に使用される機能ボタンが所定時間の間押された場合、前記第１オーディオファイルのハイライト区間と前記第２オーディオファイルのハイライト区間は予め指定されたハイライト区間の特定の部分を再生する請求項１５に記載のオーディオファイル再生方法。
【請求項１９】
前記第１オーディオファイルと前記第２オーディオファイルのハイライト区間を再生する前に、オーディオファイルを再生するための再生モードからナビゲーションモードに転換する段階をさらに含む請求項１５に記載のオーディオファイル再生方法。
【請求項２０】
前記（ａ）段階は、初期にボリュームを増加させつつ、前記第１オーディオファイルのハイライト区間の前の所定区間を再生する段階をさらに含む請求項１５に記載のオーディオファイル再生方法。
【発明の詳細な説明】
【技術分野】
【０００１】
本発明はオーディオファイルのナビゲーションおよび再生に関するものであって、より詳細にはハイライト区間を含むオーディオファイルを再生するオーディオファイル再生装置およびこれを利用したオーディオファイルナビゲーション方法に関するものである。
【背景技術】
【０００２】
音楽、サウンド、音声等のような音に関する情報を有するオーディオファイルを再生するにおいて、ユーザの嗜好あるいは目的によりオーディオファイルの全体を再生するのではなく一部だけ再生する場合がある。例えば、携帯電話の呼び出し音がその代表的な例である。
【０００３】
この時、オーディオファイルが再生される全体区間のうち、特定して選択され再生される一部区間を「ハイライト区間」と称し、これに対する基本概念が図１に図示されている。
【０００４】
図１を参照すれば、ｔ０とｔ３間でオーディオファイルが再生されており、１００と表示される線は再生する音楽の振幅変化を表している。この時、ｔ２とｔ３間の区間がハイライト区間として選択された場合、該当オーディオファイルのハイライト区間を再生すれば、該当オーディオファイルの全体再生区間のうちｔ２とｔ３間だけを再生する。したがって、ユーザはオーディオファイルのハイライト区間だけを聞いただけも該当オーディオファイルがどんな音楽に関することなのかを聴覚を介して、簡単に知ることができる。
【０００５】
一般的に音楽、サウンド、音声などのような音の振幅が大きい区間がハイライト区間として選択されるが、これはこのような区間がユーザに該当音楽、サウンド、音声を、聴覚を介して簡単に認識されるようにするためである。
【０００６】
ところで、音の振幅が大きい区間がハイライト区間として選択される場合にはユーザの立場では音楽が突然大きくなったり突然途切れたりして聴覚に対する負担が誘発されえる。
【０００７】
しかも、多数の音楽ファイルを、ハイライト区間を利用してナビゲーションする場合（以下、「ハイライトナビゲーション」という）に音楽が突然の途切れと再生の反復はユーザに聴覚によるナビゲーションの負担感を加重させえるため、この場合ナビゲーションのためのユーザインターフェースとしては適していないという問題点がある。
【０００８】
また、一般的に携帯用として使用するオーディオファイル再生装置の場合、ハイライトナビゲーションをするためには追加的な機能ボタンを搭載しなければならないが、この場合、再生装置の大きさにともなう制約により再生装置の構造が複雑になるため使用性において問題になりえる。また、ハイライトナビゲーションのユーザ動作による推論機能を提供することができずにいる。
【特許文献１】韓国公開特許第１９９９−０４５９７４号公報
【発明の開示】
【発明が解決しようとする課題】
【０００９】
本発明はユーザが聴覚的要素を利用し、ハイライト区間を含むオーディオファイルを外部入力手段およびサウンドのトランジション等により、より効果的にナビゲーションする方法を提供することを目的とする。
【００１０】
また、本発明は前記のようなナビゲーション方法を利用し、オーディオファイルを再生する装置を提供することを目的とする。
【００１１】
本発明の目的は以上で言及した目的に制限されず、言及されていないまた他の目的は下の記載から当業者に明確に理解されえるだろう。
【課題を解決するための手段】
【００１２】
前記目的を達成するための本発明の実施形態によるオーディオファイル再生装置は、ユーザからナビゲーションモードへの転換命令を受信する入力モジュールと、ハイライト区間を含む多数のオーディオファイルを保存する保存モジュールと、前記入力された命令により前記多数のオーディオファイルを抽出し、ボリュームレベルを調節しつつ、それぞれのオーディオファイルのハイライト区間を再生する制御モジュールおよび前記再生するハイライト区間をユーザに出力する出力モジュールを含む。
【００１３】
また、前記目的を達成するための本発明の実施形態によるオーディオファイルナビゲーション方法は、ナビゲーション転換手段を利用し、ナビゲーションモードに転換する（ａ）段階と、前記転換されたナビゲーションモードで第１オーディオファイルのハイライト区間が再生する（ｂ）段階と、前記第１オーディオファイルに対するボリュームレベルが減少し、第２オーディオファイルに対するボリュームレベルが増加する（ｃ）段階および前記第２オーディオファイルのハイライト区間が再生する（ｄ）段階を含む。
【発明の効果】
【００１４】
本発明によれば、より効果的にハイライト区間を含むオーディオファイルをナビゲーションすることができる効果がある。また、本発明によれば、多くのオーディオファイルを迅速にナビゲーションできる効果がある。
【００１５】
また、本発明によれば、従来オーディオファイルを再生するために必要な機能ボタンを、ナビゲーション機能を行うことに使用することによりナビゲーションのための別途の機能ボタン所要される費用を節約できる効果がある。
【発明を実施するための最良の形態】
【００１６】
その他の実施形態の具体的な事項は詳細な説明および図面に含まれている。
【００１７】
本発明の利点および特徴、そしてそれらを達成する方法は添付される図面と共に詳細に後述されている実施形態を参照すれば明確になるだろう。
【００１８】
しかし本発明は以下で開示される実施形態に限定されるものではなく、互いに異なる多様な形態で具現されることがあり、単に本実施形態は本発明の開示が完全なようにし、本発明が属する技術分野で通常の知識を有する者に発明の範疇を完全に知らせるために提供されているもので、本発明は請求項の範疇によって定義されるのみである。
【００１９】
以下、本発明の実施形態によって、オーディオファイル再生装置およびこれを利用したオーディオファイルナビゲーション方法を説明するためのブロック図または処理フローチャートに対する図面を参考にして、本発明に対して説明する。
【００２０】
この時、処理フローチャート図面の各ブロックとフローチャート図面の組合せはコンピュータプログラムインストラクションにより、行われる可能性があることを理解できるはずである。
【００２１】
これらコンピュータプログラムインストラクションは汎用コンピュータ、特殊用コンピュータまたはその他プログラム可能なデータプロセシング装備のプロセッサに搭載されえるため、コンピュータまたはその他プログラム可能なデータプロセシング装備のプロセッサにより行われるそのインストラクションがフローチャートブロックで説明された機能を行う手段を生成するようになる。
【００２２】
これらコンピュータプログラムインストラクションは特定方式で機能を具現するためにコンピュータまたはその他プログラム可能なデータプロセシング装備が備えられるコンピュータ利用可能またはコンピュータ判読可能メモリに保存されるのも可能なため、そのコンピュータ利用可能またはコンピュータ判読可能メモリに保存されたインストラクションはフローチャートブロックで説明された機能を行うインストラクション手段を含む製造品目を生産することも可能である。
【００２３】
コンピュータプログラムインストラクションはコンピュータまたはその他プログラム可能なデータプロセシング装備上に搭載されることも可能なため、コンピュータまたはその他プログラム可能なデータプロセシング装備上で一連の動作段階が行われ、コンピュータで実行されるプロセスを生成し、コンピュータまたはその他プログラム可能なデータプロセシング装備を行うインストラクションはフローチャートブロックで説明された機能を実行するための段階を提供することも可能である。
【００２４】
また、各ブロックは特定された論理的機能を実行するための一つ以上の実行可能なインストラクションを含むモジュール、セグメントまたはコードの一部を表しえる。
【００２５】
また、いくつかの代替実行形態ではブロックで言及された機能が順序にとらわれず、発生することも可能であることに注目しなければならない。
【００２６】
例えば、連続して図示されている二つのブロックは実質的に同時に行われることも可能で、またはそのブロックが時には該当する機能にともない逆順で行われるのも可能である。
【００２７】
一方、以下では本発明に対する説明を容易にするために音楽に関する情報を持つオーディオファイルを再生するものと仮定する。この時、前記情報は該当曲に対する歌手、作曲者、発表年度等のような付加情報を含み、ハイライト区間を示す情報を含む概念として理解することができる。ここでのハイライト区間はオーディオファイルが再生する全体区間のうち、特定して選択され再生される一部区間を示す。
【００２８】
図２は本発明の一実施形態によるオーディオファイル再生装置を示すブロック図であって、本発明によるオーディオファイル再生装置２００は制御モジュール２１０、入力モジュール２３０、出力モジュール２５０そして保存モジュール２７０を含む。ここで、オーディオファイル再生装置２００はデジタル形態のデータで表現されたオーディオファイルを読み込み、スピーカ、ヘッドホン、イヤホンなどのような音の出力機器で再生することができる再生装置を意味する。この時、本実施形態で使用される「モジュール」という用語はソフトウェアまたはＦＰＧＡまたはＡＳＩＣのようなハードウェア構成要素を意味し、モジュールはある役割を行う。しかし、モジュールはソフトウェアまたはハードウェアに限定されるという意味ではない。モジュールは記録可能保存媒体に存在するよう構成されえるが、またはそれ以上のプロセッサを再生させるように構成しえる。
【００２９】
したがって、一例としてモジュールはソフトウェア構成要素、オブジェクト指向ソフトウェア構成要素、クラス構成要素およびタスク構成要素のような構成要素と、プロセス、関数、属性、プロシーザ、サブルーチン、プログラムコードのセグメント、ドライバー、ファームウェア、マイクロコード、回路、データ、データベース、データ構造、テーブル、アレイおよび変化の要素を含む。
【００３０】
構成要素とモジュールの中で提供されている機能はさらに小さい数の構成要素およびモジュールに結合したり追加的な構成要素とモジュールでさらに分離されえる。それだけでなく、構成要素およびモジュールはデバイスまたは保安マルチメディアカード内の一つまたはそれ以上のＣＰＵを再生させるように具現されることもできる。
【００３１】
入力モジュール２３０はユーザから曲選択のためのナビゲーション入力と曲再生のための再生入力の入力を受ける。この時、入力モジュール２３０はボタン、タッチスクリーン、ジョイスティックなどの形態で構成されえる。
【００３２】
保存モジュール２７０は多数のオーディオファイルを保存するが、この時、保存モジュール２７０はメモリ、ハードディスク、移動式ディスク、光ディスクなどのようにファイルを保存可能保存媒体で構成されえる。
【００３３】
制御モジュール２１０は入力モジュール２３０によるユーザ入力に対応し、保存モジュール２７０からユーザによって選択されたオーディオファイルを抽出し、抽出されたオーディオファイルの全体を再生したりハイライト区間を再生する。
【００３４】
また、制御モジュール２１０は保存モジュール２７０に保存された多数のオーディオファイルを、出力モジュール２５０によってユーザに表示することができる。制御モジュール２１０の具体的な動作は図３または図４を参考にして具体的に後述する。
【００３５】
出力モジュール２５０は制御モジュール２１０により保存モジュール２７０に保存されたオーディオファイルに対し視覚的または聴覚的な出力をする。この時、視覚的出力は保存モジュール２７０に保存されたファイルリストまたは該当音楽に対する付加情報をＬＣＤのようなディスプレイ画面に出力することを意味し、聴覚的出力は本発明によりオーディオファイルのハイライト区間または全区間を、スピーカを介して出力することを意味する。
【００３６】
図２に示されたモジュールにより保存モジュール２７０に保存されたオーディオファイルのハイライト区間を再生する過程を説明する。
【００３７】
ユーザは入力モジュール２３０により保存モジュール２７０に保存されたオーディオファイルのハイライト区間を再生するように要請する。すなわち、ユーザはオーディオファイルをナビゲーションする方法として出力モジュール２５０のディスプレイ画面により保存モジュール２７０に保存されたオーディオファイルを視覚的に探索することもできるが、本発明では直接ハイライト区間を聞きながら、聞きたい音楽を探し、ナビゲーションするものである。
【００３８】
前記のようなユーザの要請により制御モジュール２１０は保存モジュール２７０からオーディオファイルを順次的に抽出し、該当オーディオファイルのハイライト区間を本発明によるトランジション方法で再生するようになる。再生するハイライト区間は出力モジュール２５０のスピーカを介して出力される。ユーザは出力されるハイライト区間を聞きながら、自身が聞きたい音楽が出てくれば、入力モジュール２３０により現在再生している音楽の全体を初めから再生するように要請し、制御モジュール２１０はユーザによって選択された音楽の全体を初めから再生する。
【００３９】
この時、本発明によるトランジション方法を図５Ａないし図５Ｃを参照して、説明する。
【００４０】
もし保存モジュール２７０に保存されたオーディオファイルのリストが図５Ａに示されたもののような場合、現在再生しているハイライト区間は歌手「キム・ヒョンジョン」の「痛いわ」という歌である。「痛いわ」という歌が終わった後には歌手「キム・ゴンモ」の「習慣」という歌のハイライト区間が再生される。このように互いに異なる歌のハイライト区間が転換する時には転換前後のハイライト区間に対するボリュームレベルは急激に変化するのではなく連続的に変化するようになる。ここでのボリュームレベルはスピーカを介して出力される音の大きさを示すものと理解することができる。
【００４１】
このようなボリュームレベルの変化を図５Ｂおよび図５Ｃで示している。
【００４２】
図５Ｂを参照すれば、歌手「キム・ヒョンジョン」の「痛いわ」歌のハイライト区間はｔ０地点で終了し、ｔ０地点からはハイライト区間の以外の部分がｔ１地点までフェイドアウトしながら、ボリュームレベルが小さくなる。すなわち、音が小さくなるのである。ｔ１地点では「痛いわ」歌は聞こえなくなって歌手「キム・ゴンモ」の「習慣」歌がフェイドインしつつ、ボリュームレベルがｔ２地点に至るまで大きくなる。すなわち、音が大きくなるのである。
【００４３】
ｔ２地点に至れば、「習慣」歌のハイライト区間が始まる。図５Ｂに示されたように、互いに異なる歌の転換はｔ１地点でなされ、以前曲と次の曲がオーバーラップせず、順次的に再生される。このようなハイライト区間のトランジションを「順次的フェーディング」と称することにする。
【００４４】
一方、互いに異なる歌のハイライト区間が転換されるまた異なる方法として図５Ｃを参照すれば、歌手「キム・ヒョンジョン」の「痛いわ」歌のハイライト区間はｔ０地点で終了して、ｔ０地点からはハイライト区間の外の部分がｔ１地点までフェイドアウトしつつ、ボリュームレベルが小さくなる。すなわち、声が小さくなるのである。
【００４５】
この時、フェイドアウトし始めるｔ０地点では歌手「キム・ゴンモ」の「習慣」歌がフェイドインしつつ、ボリュームレベルがｔ１地点に至るまで大きくなる。ｔ１地点では「痛いわ」歌は聞こえなくなる。ｔ１地点に至れば、「習慣」歌のハイライト区間が始まる。
【００４６】
図５Ｃに示されたように、互いに異なる歌の転換はｔ０地点とｔ１地点の間で行われ、ｔ０地点とｔ１地点の間では以前の曲と次の曲がオーバーラップしつつ再生される。
【００４７】
図５Ｃのようなハイライト区間のトランジションを「オーバーラップフェーディング」と称することにし、図５Ｃではフェイドアウトが始まる時点とフェイドインが始まる時点が同一（ｔ０）であることを示しているが、本発明はこれに限定されず、以前の曲と次の曲がオーバーラップされて出力される区間が存在すれば、本発明によるオーバーラップフェーディングに該当するものとみなす。
【００４８】
一方、図５Ｂと図５Ｃで示したように、フェイドインまたはフェイドアウトする区間はハイライト区間の以外の区間に該当するため、本発明によりハイライト区間を再生する場合にはフェイドインまたはフェイドアウトのためのマージン（ｍａｒｇｉｎ）区間が必要で、これを図６で示している。
【００４９】
図６は順次的フェーディングを示しているが、ここでｔ１とｔ２の間、そしてｔ４とｔ５の間は各々ハイライト区間を表し、ｔ０とｔ１の間、ｔ２とｔ４の間、ｔ５とｔ６の間はトランジションのための追加区間、すなわちマージン区間となる。
【００５０】
しかし、本発明の他の実施形態としてハイライト区間内でフェイドインとフェイドアウトを行うこともでき、このような場合には図６のような別途のマージン区間は必要でなくなる。すなわち、マージン区間の存在の有無は図２に示された制御モジュール２１０の動作により変えることができる。
【００５１】
図３は本発明の一実施形態による制御モジュールの構造を示すブロック図である。
【００５２】
図３を参照すれば、制御モジュール２１０はトランジション制御モジュール２１２、デコーディングモジュール２１４、バッファ２１６そしてボリュームレベル調節モジュール２１８を含む。
【００５３】
トランジション制御モジュール２１２はユーザの要請によりハイライト区間に対するナビゲーションを行う。このためにトランジション制御モジュール２１２は保存モジュール２７０に保存されたオーディオファイル２７１、２７２、２７３のハイライト区間に関するオーディオデータをバッファ２１６に保存する。
【００５４】
そして、デコーディングモジュール２１４はバッファ２１６に保存されたハイライト区間に対するオーディオデータをデコーディングする。
【００５５】
この時、デコーディングモジュール２１４は図５Ｂと図５Ｃで図示されている順次的フェーディングまたはオーバーラップフェーディングのようなハイライト区間のトランジションが生成されるように時間的順序によりオーディオデータをデコーディングする。
【００５６】
ボリュームレベル調節モジュール２１８はデコーディングモジュール２１４によりデコーディングされたオーディオデータのボリュームレベル、すなわち音の大きさを調節しスピーカを介して出力する。この時ボリュームレベルが調節される形態は順次的フェーディングまたはオーバーラップフェーディングに従うようになる。一方、バッファ２１６にはハイライト区間に対するオーディオデータのみ保存されているため、ボリュームレベル調節モジュール２２８によりボリュームレベルが調節される時には図６で示されたマージン区間は存在しなくなる。
【００５７】
図４は本発明の他の実施形態による制御モジュールの構造を示すブロック図である。
【００５８】
図４を参照すれば、制御モジュール２１０はトランジション制御モジュール２２２、第１デコーディングモジュール２２４Ａ、第２デコーディングモジュール２２４Ｂ、第１バッファ２２６Ａ、第２バッファ２２６Ｂそしてボリュームレベル調節モジュール２２８を含む。
【００５９】
トランジション制御モジュール２２２はユーザの要請によりハイライト区間に対するナビゲーションを行う。このためにトランジション制御モジュール２２２は保存モジュール２７０に保存されたオーディオファイル２７４、２７５、２７６、２７７のハイライト区間に関するオーディオデータをバッファ２２６Ａ、２２６Ｂに保存する。
【００６０】
そして、第１デコーディングモジュール２２４Ａと第２デコーディングモジュール２２４Ｂは各々バッファ２２６Ａ、２２６Ｂに保存されたハイライト区間に対するオーディオデータをデコーディングする。
【００６１】
この時、第１デコーディングモジュール２２４Ａと第２デコーディングモジュール２２４Ｂは図５Ｂと図５Ｃで示されている順次的フェーディングまたはオーバーラップフェーディングのようなハイライト区間のトランジションが生成されるように時間的順序によりオーディオデータをデコーディングする。
【００６２】
例えば第１デコーディングモジュール２２４Ａが一番目の歌２７４に対するハイライト区間をデコーディングし、第２デコーディングモジュール２２４Ｂが２番目の歌２７５に対するハイライト区間をデコーディングして、改めて第１デコーディングモジュール２２４Ａが３番目の歌２７６に対するハイライト区間をデコーディングした後、第２デコーディングモジュール２２４Ｂが４番目の歌２７７に対するハイライト区間をデコーディングすることができる。
【００６３】
第１デコーディングモジュール２２４Ａと第２デコーディングモジュール２２４Ｂにより順次的フェーディングを行うか、そうでなければオーバーラップフェーディングを行うかに対してはトランジション制御モジュール２２２により制御されえる。
【００６４】
ボリュームレベル調節モジュール２２８は第１デコーディングモジュール２２４Ａと第２デコーディングモジュール２２４Ｂによりデコーディングされたオーディオデータのボリュームレベル、すなわち音の大きさを調節しスピーカを介して出力する。この時ボリュームレベルが調節される形態は順次的フェーディングまたはオーバーラップフェーディングに従うようになる。一方、バッファ２２６Ａ、２２６Ｂにはハイライト区間に対するオーディオデータのみ保存されているため、ボリュームレベル調節モジュール２２８によりボリュームレベルが調節される時には図６で図示されたマージン区間は存在しなくなる。
【００６５】
図７Ａおよび図７Ｂは本発明の一実施形態による機能ボタン入力によるハイライト区間のトランジションの形態を示す図である。
【００６６】
図２に示されたオーディオファイル再生装置２００の制御モジュール２１０は保存モジュール２７０に保存されたオーディオファイルのハイライト区間を自動でナビゲーションすることもできるが、ユーザの動作により手動でナビゲーション、またはナビゲーションする中から聞きたい歌を再生させることができる。
【００６７】
図７Ａを参照し、現在の曲に対するハイライト区間が再生されていると仮定すれば、このハイライト区間はｔ１とｔ３の間でフェイドアウトが発生するものと定められているが、ユーザがｔ０地点で再生機能を行う機能ボタンを押せばｔ０とｔ２の間でフェイドアウトがはじまり、ｔ２地点では現在の曲の全体が再生されはじめる。
【００６８】
図７ｂを参照し、現在の曲に対するハイライト区間が再生されていると仮定すれば、このハイライト区間はｔ１とｔ３の間でフェイドアウトが発生するものと定められているが、ユーザがｔ０地点で次の曲を選択する機能を行う機能ボタンを押せばｔ０とｔ２の間でフェイドアウトがはじまり、ｔ２地点では次の曲のハイライト区間が再生される。
【００６９】
図８は本発明の一実施形態によるオーディオファイル再生装置を示す図面であって、オーディオファイル再生装置８００は多数のオーディオファイルを表示するディスプレイ画面８１０と前記オーディオファイルをナビゲーションしたり選択する入力手段８２０を含む。また、オーディオファイル再生装置８００にはスピーカ（未図示）が搭載され、ユーザがオーディオファイルをナビゲーションする時、該当するオーディオファイルのハイライト区間が再生され出力される。したがって、ユーザはディスプレイ画面８１０に出力されるオーディオファイルを直接見ずに聴覚的にオーディオファイルをナビゲーションする効果を得ることができる。
【００７０】
一方、オーディオファイル再生装置８００はナビゲーションするオーディオファイルに対する付加情報を提供する付加情報表示領域８３０を含むこともできるが、例えば「Ｍｕｓｉｃ＿００６．ｍｐ３」というオーディオファイルにナビゲーションカーソル（図８では点線で表示）が位置すれば、付加情報表示領域８３０には「Ｍｕｓｉｃ＿００６．ｍｐ３」ファイルによって再生される歌についての多様な情報がテキストまたはイメージ形態で表示されユーザに対して歌についての多様な情報を提供することもできる。
【００７１】
図９Ａないし図９Ｃは本発明の一実施形態によるそれぞれの機能ボタンのモード別機能を示す図である。
【００７２】
図９Ａでは多数の機能ボタンを示しているのが、前記機能ボタンは図２の入力モジュール２３０に含まれたり図８の入力手段８２０に搭載されえる。ユーザがオーディオファイルに対するナビゲーションを行うナビゲーションボタン９０１を押せば、オーディオファイル再生装置２００または８００はナビゲーションモードに転換する。
【００７３】
このようなナビゲーションボタン９０１は特定動作を認識するセンサ、ジョグシャトル、タッチセンサなどの形態で提供されえる。
【００７４】
オーディオファイル再生装置２００または８００はオーディオファイルをナビゲーションするモードで動作させたり再生モードで動作させることができるが、ここで再生モードとはユーザによって選択されたオーディオファイルの全体を再生するモードを意味する。
【００７５】
本発明では図９Ａに図示された一般的な機能ボタン９０３ないし９０９がナビゲーションモードと再生モードですべて共通で使用しえるが、これを図９Ｂと図９Ｃに示している。
【００７６】
図９Ｂはナビゲーションボタン９０１によりナビゲーションモードに転換された場合のユーザの動作によるオーディオファイル再生装置２００または８００の動作を示しており、図９Ｃは再生モードでユーザの動作によるオーディオファイル再生装置２００または８００の動作を示している。
【００７７】
ナビゲーションモードと再生モードとの相互転換はナビゲーションボタンのトグル機能により行われる。
【００７８】
すなわち、本発明ではナビゲーションモードの転換のためのナビゲーションボタン９０１だけを追加し、残り機能は音楽再生に関する既存の機能ボタンを活用することができる。
【００７９】
図１０は本発明の一実施形態によるハイライト区間を含むオーディオファイルのナビゲーションおよび再生過程を示すフローチャートである。
【００８０】
まず、ユーザがオーディオファイル再生装置に添付されたナビゲーションモードの転換のためのボタンを選択すれば（Ｓ１００５）、オーディオファイル再生装置はオーディオファイルをナビゲーションするためのモードに転換される（Ｓ１０１０）。
【００８１】
この時、オーディオファイル再生装置は自身が保存しているオーディオファイルのハイライト区間を本発明による順次的フェーディングまたはオーバーラップフェーディング方式により自動で再生しスピーカを介して出力することができる。
【００８２】
オーディオファイル再生装置により自動でナビゲーションされる中でユーザから図９Ａに示された機能ボタン９０３ないし９０９が入力されたかを検査し（Ｓ１０１５）、もし以前の曲選択機能を行う機能ボタン９０７が入力された場合には入力形態により以前の曲のハイライト区間を探索したり再生する（Ｓ１０２０、Ｓ１０２５）。すなわち、単純にクリックされた場合には以前の曲のハイライト区間を再生し、押した状態で所定時間が持続すればハイライト区間を減らし、多数の以前の曲を再生したり、多数の以前の曲を早く再生しつつ、ナビゲーションを行う。
【００８３】
例えば、ユーザが９０７と表示される機能ボタンを所定時間押し続ければ、予め指定されたハイライト区間の特定の部分（例えば、３０秒長さのハイライト区間のうち１０秒の長さに該当するハイライト区間の一部分）だけを再生し、ハイライトナビゲーションの速度を増加させ、早く音楽を探索することができる。
【００８４】
Ｓ１０２０段階で、以前の曲選択機能が選択されず次の曲選択機能を行う機能ボタン（９０９）が入力された場合には入力形態により次の曲のハイライト区間を探索したり再生する（Ｓ１０３０、Ｓ１０３５）。
【００８５】
すなわち、単純にクリックされた場合には次の曲のハイライト区間を再生し、押した状態で所定時間が持続すればハイライト区間を減らし、多数の次に曲を再生したり、多数の次に曲を早く再生しつつ、ナビゲーションする。
【００８６】
例えば、ユーザが９０９と表示される機能ボタンを押し続ければ、予め指定されたハイライト区間の特定の部分（例えば、３０秒長さのハイライト区間のうち１０秒の長さに該当するハイライト区間の一部分）だけを再生し、ハイライトナビゲーションの速度を増加させ早く音楽を探索することができる。
【００８７】
Ｓ１０３０段階で、次の曲選択機能が選択されず再生機能を行う機能ボタン９０５が選択された場合には現在の曲全体を再生する（Ｓ１０４０）。この場合、オーディオファイル再生装置は自動でナビゲーションモードから再生モードに転換することができる。
【産業上の利用可能性】
【００８８】
本発明によるオーディオファイル再生装置はオーディオファイルのハイライト区間に対するユーザのナビゲーションログ情報を分析し、音楽に対するユーザの嗜好度を把握したり、ユーザに削除対象音楽リスト、推薦音楽リストなどを提供することができる。
【００８９】
例えば、ユーザがナビゲーションのうち一曲の全体を再生する場合にはユーザが該当音楽に関心があるものと把握し、ユーザが好きな音楽リストに含めたり、関心があるジャンルの音楽情報として活用することができる。
【００９０】
また、ユーザが単純に次の曲または以前の曲へスキップする場合にはユーザ嗜好に合わない音楽として判断し、削除対象音楽リストに含めることができる。
【００９１】
以上添付された図面を参照して、本発明の実施形態を説明したが、本発明が属する技術分野で通常の知識を有する者は本発明がその技術的思想や必須の特徴を変更せず、他の具体的な形態で実施されえるということを理解することができるであろう。したがって以上で前述した実施形態はすべての面で例示的なものであり、限定的ではないものと理解しなければならない。
【図面の簡単な説明】
【００９２】
【図１】オーディオファイルのハイライト区間を示す図である。
【図２】本発明の一実施形態によるオーディオファイル再生装置を示すブロック図である。
【図３】本発明の一実施形態による制御モジュールの構造を示すブロック図である。
【図４】本発明の他の実施形態による制御モジュールの構造を示すブロック図である。
【図５Ａ】本発明の実施形態によるハイライト区間のトランジションの形態を示す図である。
【図５Ｂ】本発明の実施形態によるハイライト区間のトランジションの形態を示す図である。
【図５Ｃ】本発明の実施形態によるハイライト区間のトランジションの形態を示す図である。
【図６】本発明の一実施例によりハイライト区間を再生する時必要なマージン区間を示す図である。
【図７Ａ】本発明の一実施例により機能ボタン入力によるハイライト区間のトランジションの形態を示す図である。
【図７Ｂ】本発明の一実施例により機能ボタン入力によるハイライト区間のトランジションの形態を示す図である。
【図８】本発明の一実施形態によるオーディオファイル再生装置を示す図である。
【図９Ａ】本発明の一実施形態によるそれぞれの機能ボタンのモード別機能を示す図である。
【図９Ｂ】本発明の一実施形態によるそれぞれの機能ボタンのモード別機能を示す図である。
【図９Ｃ】本発明の一実施形態によるそれぞれの機能ボタンのモード別機能を示す図である。
【図１０】本発明の一実施形態によるハイライト区間を含むオーディオファイルのナビゲーションおよび再生過程を示すフローチャートである。
【符号の説明】
【００９３】
２００      オーディオ再生装置
２１０      制御モジュール
２３０      入力モジュール
２５０      出力モジュール
２７０      保存モジュール
２１２、２２２    トランジション制御モジュール
２１４、２２４Ａ、２２４Ｂ    デコーディングモジュール
２１６、２２６ａ、２２６Ｂ    バッファ
２１８、２２８    ボリュームレベル調節モジュール
【図１】
2007213040.tif 000003
【図２】
2007213040.tif 000004
【図３】
2007213040.tif 000005
【図４】
2007213040.tif 000006
【図５Ａ】
2007213040.tif 000007
【図５Ｂ】
2007213040.tif 000008
【図５Ｃ】
2007213040.tif 000009
【図６】
2007213040.tif 000010
【図７Ａ】
2007213040.tif 000011
【図７Ｂ】
2007213040.tif 000012
【図８】
2007213040.tif 000013
【図９Ａ】
2007213040.tif 000014
【図９Ｂ】
2007213040.tif 000015
【図９Ｃ】
2007213040.tif 000016
【図１０】
2007213040.tif 000017